(57)【要約】【目的】ミシンに簡単に装着することができると共に、倍率の異なるレンズの交換が可能であり、作業員の視線に沿って水平及び垂直方向の角度調整の自由度を高くしたミシンの拡大鏡を提供すること。【構成】ミシン本体に装着して上下動する針棒先端に装着された針の先端と布押え付近を拡大視するミシンの拡大鏡において、一端にはレンズを着脱可能に保持する保持手段４を有するレンズ保持部２を設けて他端にはミシン本体に装着するための装着部３を設けた支持腕部Ａを備えること。レンズ保持部２に対して着脱可能な被接続部６に連続して形成されたレンズ部５とからなるレンズ本体Ｂを備えること。【選択図】      図１
0003186963.tif 000002
【実用新案登録請求の範囲】
【請求項１】
ミシン本体に装着して上下動する針棒先端に装着された針の先端と布押え付近を拡大視するミシンの拡大鏡において、一端にはレンズを着脱可能に保持する保持手段を有するレンズ保持部を設けて他端にはミシン本体に装着するための装着部を設けた支持腕部と、前記レンズ保持部に対して着脱可能な被接続部と該被接続部に連続して形成されたレンズ部とからなるレンズ本体とからなることを特徴とするミシンの拡大鏡。
【請求項２】
前記保持手段は、保持枠の一方の側片にて軸方向に往復移動する保持軸と、前記保持枠に前記保持軸を前記保持枠の内方向に押圧移動させる押圧部が具備され、前記保持軸により前記レンズ本体の被接続部を前記保持枠の他方の側片に押圧しつつ挟持してなることを特徴とする請求項１に記載のミシンの拡大鏡。
【請求項３】
前記押圧部は、弾性部材としてなることを特徴とする請求項２に記載のミシンの拡大鏡。
【請求項４】
前記保持手段は、前記保持軸と前記保持枠外部にて枢支連結されるつまみ部が設けられ、該つまみ部は、前記枢支連結箇所を中心に回動させることにより前記保持軸を所定範囲内で往復移動させてなることを特徴とする請求項２又は３に記載のミシンの拡大鏡。
【請求項５】
外螺子が形成された前記保持軸と、前記外螺子と螺合する内螺子が形成された前記保持枠とからなり、前記保持軸を前記外螺子と前記内螺子との螺合により軸方向に進退自在としてなることを特徴とする請求項２に記載のミシンの拡大鏡。
【請求項６】
前記レンズ本体部は、倍率の異なるレンズ部を備えたものが、複数台備えられ、前記支持腕部に対して、所望される前記レンズ本体を交換自在としてなることを特徴とする請求項１，２，３，４又は５のいずれか１項に記載のミシンの拡大鏡。
【考案の詳細な説明】
【技術分野】
【０００１】
本考案は、ミシンに簡単に装着することができると共に、倍率の異なるレンズの交換が可能であり、作業員の視線に沿って水平及び垂直方向の角度調整の自由度を高くしたミシンの拡大鏡に関する。
【背景技術】
【０００２】
一般に、家庭用のミシンでは、作業の準備段階として、ミシン針の針孔に糸を通すことが必ず行われる。現在多く使用されているミシンのほとんどのものには、針孔の糸通し装置が備わっているものが多い。しかし、このような糸通し装置が備わっていないミシンも存在し、このようなものでは、手作業で針孔に糸を通さなくてはならない。
【０００３】
そのために、この糸通し作業を補助するために、ミシンに装着することができる拡大鏡（レンズ）が必要となる。また、ミシン針の針孔に、糸が通っているか否かを、目視にて判断するときにも拡大鏡が必要である。
【０００４】
さらに、ミシン針或いは布押え等の器具の交換作業や、針板周辺の布屑等の清掃を行う際にも、拡大鏡を必要とする場合がある。そしてこのようなミシンに装着可能な拡大鏡が、特許文献１，特許文献２，特許文献３及び特許文献４等に開示されている。
【先行技術文献】
【特許文献】
【０００５】
【特許文献１】特開平１１−２６７３８８号公報
【特許文献２】特開２００２−１８１６８号公報
【特許文献３】実開平７−９２７９号公報
【特許文献４】米国特許第３，８２２，０８８号明細書
【考案の概要】
【考案が解決しようとする課題】
【０００６】
ミシンの作業者は、それぞれの視力、視界は異なることが普通である。したがって、特許文献１乃至特許文献４に開示されているものでは、レンズの位置或いは角度の多少の変更は可能であるが、作業者の満足のゆくものではなかった。また、特許文献４では、レンズの位置や角度調整の自由度は高いものであるが、その構造が複雑であり、しかも装置が比較的大型のものである。
【０００７】
特に、特許文献４では、装置が大型であるため、本来のミシンの縫製作業の障害になるおそれも十分にある。そこで、本考案の目的（解決しようとする技術的課題）は、極めて簡単な構造にて、レンズの水平位置及び垂直位置の調整が可能であると共に、倍率の異なるレンズの交換が可能となるミシンの拡大鏡を提供することある。
【課題を解決するための手段】
【０００８】
そこで、考案者は、上記課題を解決すべく、鋭意、研究を重ねた結果、請求項１の考案を、ミシン本体に装着して上下動する針棒先端に装着された針の先端と布押え付近を拡大視するミシンの拡大鏡において、一端にはレンズを着脱可能に保持する保持手段を有するレンズ保持部を設けて他端にはミシン本体に装着するための装着部を設けた支持腕部と、前記レンズ保持部に対して着脱可能な被接続部と該被接続部に連続して形成されたレンズ部とからなるレンズ本体とからなるミシンの拡大鏡としたことにより、上記課題を解決した。  
【０００９】
請求項２の考案を、前記保持手段は、保持枠の一方の側片にて軸方向に往復移動する保持軸と、前記保持枠に前記保持軸を前記保持枠の内方向に押圧移動させる押圧部が具備され、前記保持軸により前記レンズ本体の被接続部を前記保持枠の他方の側片に押圧しつつ挟持してなる請求項１に記載のミシンの拡大鏡としたことにより、上記課題を解決した。
【００１０】
請求項３の考案を、前記押圧部は、弾性部材としてなる請求項１に記載のミシンの拡大鏡としたことにより、上記課題を解決した。請求項４の考案を、前記保持手段は、前記保持軸と前記保持枠外部にて枢支連結されるつまみ部が設けられ、該つまみ部は、前記枢支連結箇所を中心に回動させることにより前記保持軸を所定範囲内で往復移動させてなる請求項２に記載のミシンの拡大鏡としたことにより、上記課題を解決した。
【００１１】
請求項５の考案を、外螺子が形成された前記保持軸と、前記外螺子と螺合する内螺子が形成された前記保持枠とからなり、前記保持軸を前記外螺子と前記内螺子との螺合により軸方向に進退自在としてなる請求項２に記載のミシンの拡大鏡としたことにより、上記課題を解決した。
【００１２】
請求項６の考案を、前記レンズ本体部は、倍率の異なるレンズ部を備えたものが、複数台備えられ、前記支持腕部に対して、所望される前記レンズ本体を交換自在としてなる請求項１，２，３又は４のいずれか１項に記載のミシンの拡大鏡としたことにより、上記課題を解決した。
【考案の効果】
【００１３】
請求項１及び請求項２の考案では、支持腕部の前記保持手段は、保持枠の一方の側片（第１側片）にて軸方向に往復移動する保持軸と、前記保持枠に前記保持軸を前記保持枠の内方向に押圧移動させる押圧部が具備され、前記保持軸により前記レンズ本体の被接続部を前記保持枠の他方の側片（第２側片）に押圧しつつ挟持する構成としたものである。
【００１４】
このような構成によって、保持軸を押圧部による押圧方向と反対側に移動させ、保持軸先端（押圧先端部）と保持枠の他方側側片（第２側片）との間隔を僅かに拡げることにより、レンズ本体の被接続部を、保持軸先端と保持枠の他方側側片（第２側片）と間に配置することができる。
【００１５】
次いで、保持軸を自由状態とすることで保持軸は、押圧部による押圧方向に移動し、レンズ本体の被接続部を保持軸と保持枠の他方側側片（第２側片）にて挟持固定することができる。これによって、支持腕部とレンズ本体との接続及び分離は、極めて簡単且つ瞬時に完了することができる。
【００１６】
また、レンズ本体は、その被接続部が保持軸先端と保持枠の他方側側片（第２側片）との間に、押圧部によって挟持されたものであり、レンズ本体の被接続部は常時、押圧状態で挟持されることになり、被接続部には適当に押圧力が掛かり、レンズ本体は、水平軸におけるどのような回動角度であっても、その状態で停止することができる。
【００１７】
したがって、レンズ本体のレンズ部の傾斜角度を、作業員の目の高さ位置に適応する位置において停止状態となるように、レンズ部の角度を調整することができる。このように、レンズ本体は、支持腕部のレンズ保持部に、水平軸に対して回動且つその位置にて停止自在となるようにしているので、レンズ本体は、水平軸に対して、所望の角度に設定することができ、作業者にとって、最適な傾斜角度に設定することにより、針孔の糸通しを行い易くすることができる。
【００１８】
さらに、支持腕部とレンズ本体とは、着脱自在であり、縫製作業にかかるときは、レンズ本体を支持腕部から取り外すことで、通常のミシンの作業スペースを確保することができる。このように、請求項１の考案では、支持腕部と、レンズ本体との接続及び分離を極めて簡単に行うことができ、且つレンズ本体は、水平軸に対して回動自在で、且つ所望の位置にて停止状態にすることができ、針孔への糸通し状態を拡大して視認することができるものである。
【００１９】
請求項３の考案では、前記押圧部は、弾性部材としたものであり、該弾性部材をコイルスプリングとすることにより、保持軸をコイルスプリング内に軸方向に沿って挿入することにより、僅かなスペース内であっても、保持軸を保持枠の一方側側片（第１側片）から他方側側片（第２側片）に向けて弾性付勢させることができ、極めて簡単な構造で且つ小型にすることができる。
【００２０】
請求項４の考案では、前記保持手段は、前記保持軸と前記保持枠外部にて枢支連結されるつまみ部が設けられ、該つまみ部は、前記枢支連結箇所を中心に回動させることにより前記保持軸を所定範囲内で往復移動させる構成としたものである。
【００２１】
このような構成により、前記つまみ部を枢支連結箇所を中心にして回動させるのみで、支持腕部とレンズ本体との着脱を極めて簡単且つ瞬時にすることができ、縫製作業の作業効率をより一層向上させることができる。
【００２２】
請求項５の考案では、外螺子が形成された前記保持軸と、前記外螺子と螺合する内螺子が形成された前記保持枠とからなり、前記保持軸を前記外螺子と前記内螺子との螺合により軸方向に進退自在とした構成により、外螺子が形成された保持軸は、外螺子と内螺子との螺合により、軸周方向に回動させるのみで、軸方向に進退自在に往復移動させることができ、レンズ本体を、保持軸先端と他方側側片（第２側片）とによって極めて強固に固定することができるものである。
【００２３】
請求項６の考案では、レンズ本体部は、倍率の異なるレンズ部を備えたものが、複数台備えられたことにより、作業者は、個人の視力に応じた所望のレンズ本体を選択することができ、作業効率を向上させることができる。
【図面の簡単な説明】
【００２４】
【図１】（Ａ）はミシン本体に本考案の第１実施形態における拡大鏡を装着した状態の斜視図、（Ｂ）は（Ａ）の（Ｑ1）部拡大図、（Ｃ）は拡大鏡を分解した状態の斜視図、（Ｄ）は支持腕部とレンズ本体とを分離した状態の平面図である。
【図２】図１（Ｄ）の（Ｑ2）部の拡大断面図である。
【図３】（Ａ）は支持腕部のレンズ保持部にレンズ本体の被装着部を装着しようとうする行程の一部断面にした要部拡大図、（Ｂ）は支持腕部のレンズ保持部にレンズ本体の被装着部を配置した行程の一部断面にした要部拡大図、（Ｃ）は支持腕部のレンズ保持部にレンズ本体の被装着部の装着が完了した状態の一部断面にした要部拡大図である。
【図４】本考案において複数のレンズ本体を支持本体に適宜着脱自在に装着することができる構成を示す状態図である。
【図５】本考案における第２実施形態における拡大鏡の支持腕部を一部断面にした要部拡大図である。
【図６】（Ａ）はミシン面板に本考案の拡大鏡を装着しようとする斜視図、（Ｂ）は（Ａ）の（Ｑ3）部拡大図、（Ｃ）は（Ｂ）のＹ1−Ｙ1矢視断面図である。
【００２５】
以下、本考案の実施形態を図面に基づいて説明する。本考案には複数の実施形態が存在し、まずその第１実施形態から説明する。本考案の第１実施形態は、図１に示すように、支持腕部Ａと、レンズ本体Ｂとから構成される。前記支持腕部Ａは、図１（Ｂ）乃至（Ｄ）に示すように、レンズ保持部２，装着部３とから構成される。また、レンズ本体Ｂは、レンズ部５と被接続部６とから構成される〔図１（Ｂ）乃至（Ｄ）参照〕。
【００２６】
支持腕部Ａは、薄板金属材から形成され、平面から見て、直線状腕片１１と傾斜状腕片１２とから構成されている。該傾斜状腕片１２は、前記直線状腕片１１に対して、水平面上にて適宜の角度を有して傾斜形成されている〔図１（Ｄ）参照〕。
【００２７】
支持腕部Ａの傾斜状腕片１２の長手方向の一端側にレンズ保持部２が形成され、長手方向の他端側に装着部３が形成されている〔図１（Ｂ）乃至（Ｄ）参照〕。具体的には、支持腕部Ａの傾斜状腕片１２にレンズ保持部２が設けられ、直線状腕片１１の端部箇所に装着部３が垂直状に設けられる〔図１（Ｂ），（Ｄ），図６等参照〕字。
【００２８】
前記レンズ保持部２は、レンズ本体Ｂの被接続部６が着脱自在に接続される構成となっている。レンズ保持部２の具体的な構造は、保持枠２１が形成され、該保持枠２１は、主枠片２１ａ，第１側片２１ｂ及び第２側片２１ｃとから構成される〔図１(Ｃ)，図２，図３等参照〕。
【００２９】
前記主枠片２１ａは、略長方形の板片であり、前記支持腕部Ａの傾斜状腕片１２の端部から外方且つ上方に傾斜状に形成されている〔図１（Ｃ）参照〕。また、前記主枠片２１ａの長手方向両端には、第１側片２１ｂと第２側片２１ｃとが、前記主枠片２１ａと直角（略直角も含む）をなすようにして折曲形成されている〔図１（Ｃ），（Ｄ），図２参照〕。前記保持枠２１の第１側片２１ｂには、軸貫通孔２１ｄが形成され、第２側片２１ｃの内面側には、円形座板２１ｅが形成されている。
【００３０】
レンズ保持部２には、保持手段４が具備されている。保持手段４は、主に、保持軸４１と、つまみ４２と、押圧部４３とから構成される（図１，図２参照）。保持軸４１は、軸方向の一端に円錐形状の押圧先端部４１ａが形成され、軸方向他端に枢支ピン４１ｂが挿入される。つまみ４２は、前記枢支ピン４１ｂを介して保持軸４１に連結される。
【００３１】
つまみ４２は、レバー部４２ａと２つの挟持片４２ｂ，４２ｂとからなる〔図１（Ｃ），図２参照〕。レバー部４２ａは、略三角形状に形成されている。挟持片４２ｂは、略半円状又は、略「Ｕ」字形状に形成され、幅方向両側は平坦面に形成されている（図２参照）。
【００３２】
両挟持片４２ｂ，４２ｂは、平行状態で対向する二股状の部分である〔図１（Ｃ）参照〕。両挟持片４２ｂ，４２ｂ間には、保持軸４１の軸方向他端が配置され、前記枢支ピン４１ｂによって、つまみ４２と保持軸４１とが枢支連結される（図２，図３参照）。つまみ４２は、前記枢支ピン４１ｂを回動中心として、保持軸４１に対して回動自在である（図２，図３参照）。
【００３３】
それぞれの挟持片４２ｂにおける枢支ピン４１ｂの装着位置は、前記レバー部４２ａと挟持片４２ｂを上下方向に配置した状態（図２参照）を、つまみ４２の垂直方向とすると、前記挟持片４２ｂの垂直方向線に対していずれかの側に偏心して連結される（図２参照）。両挟持片４２ｂ，４２ｂの外周側面は円弧状に形成され、前記保持枠２１の第１外側片２１ｂの外面側に当接する（図２，図３参照）。
【００３４】
前記押圧部４３は、押圧力を備え、この押圧力によって保持枠２１に装着された保持軸４１を、保持枠２１の内方向（第１側片２１ｂから第２側片２１ｃに向かう方向）に押圧移動させるものである。押圧部４３の押圧力により保持軸４１は、前記保持枠２１の第１側片２１ｂから第２側片２１ｃに向かう方向に押圧されて移動し、保持軸４１の押圧先端４１ａと第２側片２１ｃとで前記レンズ本体Ｂの被接続部６を挟持押圧してレンズ本体Ｂをレンズ保持部２に接続固定する役目をなすものである。
【００３５】
押圧部４３には、複数の実施形態が存在し、その第１実施形態としては、押圧部４３ａである。押圧部４３ａは、弾性を有する部材で、バネ等であり、さらに、具体的には、コイルスプリングが使用される（図１乃至図３参照）。コイルスプリングとした押圧部４３ａには、その軸方向に沿って内部に前記保持軸４１が貫通する（図２参照）。
【００３６】
該保持軸４１の押圧先端部４１ａは、保持枠２１の内方側（主枠片２１ａと第１側片２１ｂと第２側片２１ｃとで包囲された内部側）に入り込むようにして、第１側片２１ｂの軸貫通孔２１ｄに遊挿され、前記押圧部４３ａによって、保持枠２１の第２側片２１ｃに向かって弾性付勢される〔図１（Ｃ），図２参照〕。
【００３７】
前記つまみ４２は、枢支ピン４１ｂを回動中心として略１８０度に亘って回動させることで、保持軸４１は軸貫通孔２１ｄを出入するようにして軸方向に移動する（図２参照）。保持軸４１の押圧先端部４１ａ側には座金４４が装着され、該座金４４は留輪４５にて固定される。
【００３８】
そして、前記押圧部４３は、前記保持枠２１の第１側片２１ｂと、前記座金４４との間に配置される〔図１（Ｃ），図２参照〕。該座金４４と共に保持軸４１の押圧先端部４１ａは、押圧部４３によって、常時、第２側片２１ｃ側方向に向かって弾性付勢される。つまみ４２は、枢支ピン４１ｂを中心にして１８０度だけ往復回動させることにより、保持軸４１は、軸貫通孔２１ｄを往復移動する（図２参照）。
【００３９】
次に、本考案の第２実施形態では、前記押圧部４３の構成を、外螺子４３ｂが形成された前記保持枠２１と、前記外螺子４３ｂと螺合する内螺子４３ｃが形成された前記保持枠２１とからなり、前記保持軸４１を前記外螺子４３ｂと前記内螺子４３ｃとの螺合により軸方向に進退自在としたものである。具体的には、図５に示すように、前記内螺子４３ｃは、保持枠２１の第１側片２１ｂに形成され、前記保持軸４１に形成された外螺子４３ｂと螺合させる構成としたものである。
【００４０】
このような構成によって、前記保持軸４１の大径部４３を軸周方向に回動することにより、該保持軸４１は、軸方向に往復移動することができ、保持枠２１の第１側片２１ｂを基準にして、保持枠２１の内部を進退自在となる構成にできる。そして、保持枠２１に装着したレンズ本体Ｂの被接続部６は、保持軸４１の押圧先端部４３ａと、第２側片２１ｃとの間に挟持押圧され、支持腕部Ａとレンズ本体Ｂとの接続ができる。また、保持軸４１を保持枠２１の第１側片２１ｂの外方側に移動するように軸周方向に回動させると、支持腕部Ａとレンズ本体Ｂとの分離ができる。
【００４１】
また、第２実施形態において、座金４４とコイルスプリング４３ｅとを併用することもある。具体的には，保持軸４１には、軸方向に外螺子４３ｂが形成され、軸方向において押圧先端部４３ａ側に小径部４３ｄが形成される。該小径部４３ｄには、座金４４が軸方向に往復移動可能に装着され、小径部４３ｄに固着される留輪４５によって座金４４が小径部４３ｄから外れない構成としている。
【００４２】
そして、保持枠２１の第１側片２１ｂに形成される内螺子４３ｃは、前記軸貫通孔２１ｄに形成されており、第１側片２１ｂの内螺子４３ｃ形成箇所は、他の部分よりも厚肉として形成され、内螺子４３ｃの軸方向寸法を大きくしている。前記座金４４と、前記第１側片２１ｂとの間にはコイルスプリング４３ｅが装着され、該コイルスプリング４３ｅによって、座金４４は押圧先端部４３ａ側に押圧され、留輪４５に当接された状態となる。
【００４３】
保持軸４１と第２側片２１ｃとでレンズ本体Ｂの被接続部６が押圧挟持する過程で、保持軸４１の小径部４３ｄに装着された座金４４は、小径部４３ｄを第１側片２１ｂ側に向かって相対移動すると共に、座金４４と第１側片２１ｂとの間隔が狭くなり、コイルスプリング４３ｅ収縮し、弾性力が大きくなる。
【００４４】
これによって、第１側片２１ｂと座金４４との間にコイルスプリング４３ｅによる大きな弾性力が生じることになる。そのために、前記第１側片２１ｂと前記座金４４とは、相互に反発し合い、保持軸４１の外螺子４３ｂと、第１側片２１ｂの内螺子４３ｃとの螺合状態が常時強固に締め付けられた状態となり、外螺子４３ｂと内螺子４３ｃとの間に緩みが生じにくくなり、ひいては、支持腕部Ａとレンズ本体Ｂとが強固に接続される構成にできる。
【００４５】
装着部３は、柱状軸部３１の上端付近に被嵌合溝部３２が形成されている〔図１(Ｂ)，図６参照〕。装着部３は、ミシン本体８の面板８１に形成された被装着部Ｃに嵌合状態で装着される（図６参照）。該被装着部Ｃは、抱持片８２，８２と嵌合弾性板片８３とから構成され、具体的には、前記面板８１の内面側には、２個の抱持片８２，８２が形成され、両抱持片８２，８２の間に嵌合弾性板片８３が装着されている（図６参照）。
【００４６】
嵌合弾性板片８３には、嵌合屈曲部８３ａが形成され、前記柱状軸部３１の被嵌合溝部３２と嵌合しつつ支持腕部Ａを面板８１に接続することができる〔図６（Ｃ）参照〕。これによって、支持腕部Ａは、柱状軸部３１を中心として水平面上を回動することができる。また、前記支持腕部Ａの中間箇所には、操作片１３が形成されている。該操作片１３は、略円板状に形成されており、作業者の指でつまみ易い形状となっている（図１参照）。
【００４７】
レンズ本体Ｂは、プラスチック又はアクリル樹脂等の合成樹脂にて一体形成されたものであり、レンズ部５と被接続部６とから構成される〔図１（Ｃ），（Ｄ），図４参照〕。レンズ部５は、角が円弧状とした長方形状に形成されたものである。そして、被接続部６は、前記支持腕部Ａのレンズ保持部２に保持手段４を介して着脱自在に装着されるものである。
【００４８】
被接続部６は、前記レンズ部５の長手方向の一端側から外方に突出するように連続形成されたものであり、円筒部６１，差込み溝部６２によって形成される〔図１（Ｂ）乃至（Ｄ）参照〕。円筒部６１は、直径中心位置に軸芯孔６１ａが形成されている。前記差込み溝部６２は、円筒部６１の軸方向に対して直交するように形成される〔図１（Ｄ）参照〕。差込み溝部６２には、前記支持腕部Ａのレンズ保持部２を構成する第２側片２１ｃが挿入可能な溝幅を有している（図３参照）。
【００４９】
また、軸芯孔６１ａの外方側の開口には、前記保持手段４の保持軸４１の押圧先端部４１ａが挿入可能であり、また前記差込み溝部６２箇所の軸芯孔６１ａには、前記保持枠２１の第２側片２１ｃに形成された円形座板２１ｅが挿入する構造となっている〔図１（Ｂ），図３参照〕。さらに、円筒部６１の軸方向と、レンズ部５における円筒部６１側寄りの辺には、リブ５１が形成されている（図１，図４参照）。該リブ５１にはレンズ部５の倍率等が刻印，印刷等の手段によって記載されることもある。
【００５０】
次に、支持腕部Ａのレンズ保持部２に、レンズ本体Ｂを装着する行程について図３に基づいて説明する。なお、以下の説明は、支持本体Ａを第１実施形態としたものである。まず、支持腕部Ａのレンズ保持部２におけるつまみ４２を回動させて、保持軸４１を保持枠２１の外側に最大限引き出す〔図３（Ａ）参照〕。
【００５１】
この状態で、レンズ本体Ｂの被接続部６を、保持枠２１内の保持軸４１の押圧先端部４１ａと、第２側片２１ｃとの間に配置する〔図３（Ｂ）参照〕。このとき円筒部６１の軸方向は、保持軸４１の押圧先端部４１ａと、第２側片２１ｃとを結ぶ線状に一致している。また、第２側片２１ｃは、円筒部６１の差込み溝部６２に挿入し、且つ円形座板２１ｅは、軸芯孔６１ａに挿入する状態となる。
【００５２】
そして、前記つまみ４２を１８０度回動させると、押圧部４３の弾性力によって、保持軸４１が保持枠２１の内方側で且つ第２側片２１ｃ側に向かって移動する。これによって、保持軸４１の押圧先端部４１ａが円筒部６１の軸芯孔６１ａの開口に挿入し、円筒部６１の外端側の軸芯孔６１ａの開口と、差込み溝部６２との間が、前記保持軸４１の押圧先端部４１ａと、第２側片２１ｃとによって弾性的な圧力を有して挟持されることになる〔図３（Ｃ）参照〕。
【００５３】
このように、支持腕部Ａのレンズ保持部２と保持手段４とによって、レンズ本体Ｂは、支持腕部Ａにおける水平軸Ｌに対して回動自在となる〔図１(Ｂ)参照〕。また、前記押圧部４３の弾性付勢力によって、円筒部６１は軸方向の外端と差込み溝部６２との間が弾性的な圧力を有して挟持されることになる。
【００５４】
したがって、レンズ本体Ｂのレンズ部５が垂下状態であるとき以外の傾斜状或いは水平状のときでも、その位置に留まって、停止状態を維持することができる。つまり、作業者は、レンズ部５を所望の傾斜角度にて、使用することができる。具体的には、レンズ部５は水平状に対して３０度，４５度，６０度等にも設定することができる。
【００５５】
また、支持腕部Ａからレンズ本体Ｂを外して分離するときには、つまみ４２を、レンズ本体Ｂを装着した状態から１８０度回動させることで、レンズ本体Ｂの円筒部６１の外端開口を押圧している保持軸４１を保持枠２１の外側に引き出す。これによって、レンズ本体Ｂの円筒部６１は、保持手段４による保持状態から開放され、支持腕部Ａから分離することができる。
【００５６】
なお、前記支持腕部Ａの保持枠２１の主枠片２１ａの内方側に突出するように規制ピン７１を形成し、前記レンズ本体Ｂの円筒部６１の中間位置に前記規制ピン７１が挿入する規制溝７２が形成されることもある。これによって、レンズ本体Ｂが水平軸Ｌに対して回動するときに、前記規制ピン７１と規制溝７２によって回動範囲が規制され、例えばレンズ本体Ｂを、水平軸Ｌに対して９０度の範囲内でのみ回動できる構造とすることもある。
【００５７】
本考案では、支持腕部Ａとレンズ本体Ｂとをセットにして提供されるものであるが、ここで、レンズ本体Ｂが複数備わり、それぞれのレンズ本体Ｂでは、倍率の異なるレンズ部５を備えた実施形態が存在する（図４参照）。具体的には、レンズ部５の倍率が１．２倍，１．４倍，１．６倍等のものが１個の支持腕部Ａに付属するようにする。そして、作業者の視力，視野等に合わせたレンズ本体Ｂを選択し、支持腕部Ａのレンズ保持部２に保持手段４を介して着脱自在に装着することができる。
【符号の説明】
【００５８】
Ａ…支持腕部、Ｂ…レンズ本体、２…レンズ保持部、２１…保持枠、３…装着部、
３２…被嵌合溝部、４…保持手段、４１…保持軸、４２…つまみ、４３…押圧部、
４３ａ…弾性部材、４３ｂ…外螺子，４３ｃ…内螺子、６…被接続部、
６２…差込み溝部、８…ミシン本体、８１…面板、８３…嵌合弾性板片。
【図１】
0003186963.tif 000003
【図２】
0003186963.tif 000004
【図３】
0003186963.tif 000005
【図４】
0003186963.tif 000006
【図５】
0003186963.tif 000007
【図６】
0003186963.tif 000008